(57)【要約】【課題】簡単に開口を閉鎖又は開放することができ、閉鎖後は不用意に開放されずに閉鎖状態を保持し、かつ展示効果に優れた包装容器を提供する。【解決手段】底部の周囲に周壁部２６を有し、上方が開口する容器本体部１２と、周壁部２６の前側の上端に連設する前閉鎖部３１と、周壁部２６の後側の上端に連設する後閉鎖部３２からなる閉鎖部１３とを備える包装容器１１の閉鎖部１３に、上方へ膨らむ形状の閉鎖折曲部３２ａを形成して折り曲げ、前閉鎖部３１の内面と後閉鎖部３２の内面とを合せて開口を閉鎖する。【選択図】図３
0003221041.tif 000002
【実用新案登録請求の範囲】
【請求項１】
底部の周囲に周壁部を有し、上方が開口する容器本体部と、前記周壁部の前側の上端に連設する前閉鎖部と、前記周壁部の後側の上端に連設する後閉鎖部からなる閉鎖部と、を備える包装容器の前記閉鎖部に、上方へ膨らむ形状の閉鎖折曲部を形成し、前記閉鎖折曲部を折り曲げ、前記前閉鎖部の内面と前記後閉鎖部の内面とを合せて、開口を閉鎖することを特徴とする包装容器。
【請求項２】
前記閉鎖折曲部を、前記前閉鎖部又は前記後閉鎖部のいずれか一方に形成することを特徴とする、請求項１に記載する包装容器。
【請求項３】
前記閉鎖部は、前記前閉鎖部と前記後閉鎖部とが連なる連続部を備えることを特徴とする、請求項１又は請求項２に記載する包装用容器。
【請求項４】
前記前閉鎖部と前記後閉鎖部とが異なる形状であることを特徴とする、請求項１から請求項３に記載する包装用容器。
【請求項５】
前記周壁部は、底部の周囲の前側に前折曲部を介して前壁部を、底部の周囲の後側に後折曲部を介して後壁部を、底部の周囲の左側に左折曲部を介して左壁部を、底部の周囲の右側に右折曲部を介して右壁部を有し、前記左壁部及び前記右壁部は開口側を頂部とする略三角形状であって、前記前壁部の上端に前記前閉鎖部を連設し、前記後壁部の上端に前記後閉鎖部を連設することを特徴とする、請求項１から請求項４に記載する包装容器。
【請求項６】
前記前折曲部が前記前壁部側へ膨らむ形状又は／及び前記後折曲部が前記後壁部側に膨らむ形状であることを特徴とする、請求項５に記載する包装容器。
【請求項７】
前記左折曲部が前記左壁部側へ膨らむ形状又は／及び前記右折曲部が前記右壁部側に膨らむ形状であることを特徴とする、請求項５又は請求項６に記載する包装容器。
【考案の詳細な説明】
【技術分野】
【０００１】  本考案は、物品を収容する包装容器に関する。
【背景技術】
【０００２】  物品を収容する容器としては、多角形の底板の外周辺に周壁を連設して容器本体を形成し、この周壁の上端に閉鎖係止部を連設した包装容器が知られている。
このような包装容器では、簡単に閉鎖することができ、閉鎖後は不用意に開放することなく閉鎖状態を保持し、開放しようとする時には、少ない抵抗で容易に開放できる閉鎖係止機構が望まれる。また、このような包装容器を用いて物品を販売する際には、需要者の目に留まるような展示効果を有する形状が望まれる。
例えば、三角形の側部を有する山形の三角箱であって、重合フラップにより容器本体を閉鎖する構造の包装容器がある。この三角箱は、四角形の底板の一方の対向辺に側板を、他方の対向辺に台形の基側板を連接し、該側板と基側板の間にコーナーフラップを連接し、側板の両側辺上部に略三角形の上側板を連接し、コーナーフラップを内側に折り込み、上側板の頂部を基側板の内側に挿入して容器本体部を形成する。そして、一方の側板の上辺に重合フラップを連接して閉鎖構造とする（特許文献１参照）。【０００３】  このような閉鎖構造では、重合フラップを他方の側板に折り重ね、重合フラップ先端部の係止突部を側板の係止溝に係止してロックして閉鎖するため、閉鎖・開放に手間を要する。また、展示効果も乏しい。【０００４】
【先行技術文献】
【特許文献】
【０００５】
【特許文献１】実開Ｈ０２−４８５１５号公報
【考案の開示】
【考案が解決しようとする課題】
【０００６】  本考案は前記課題に鑑みてなされたものであって、簡単に開口を閉鎖又は開放することができ、閉鎖後は不用意に開放されずに閉鎖状態を保持し、かつ展示効果に優れた包装容器を提供することを課題とする。
【課題を解決するための手段】
【０００７】  本考案の解決しようとする課題は以上の如くであり、次にこの課題を解決するための手段を説明する。【０００８】  第１の考案では、底部の周囲に周壁部を有し、上方が開口する容器本体部と、前記周壁部の前側の上端に連設する前閉鎖部と、前記周壁部の後側の上端に連設する後閉鎖部からなる閉鎖部と、を備える包装容器の前記閉鎖部に、上方へ膨らむ形状の閉鎖折曲部を形成し、前記閉鎖折曲部を折り曲げ、前記前閉鎖部の内面と前記後閉鎖部の内面とを合せて、開口を閉鎖することを特徴とする。【０００９】  第２の考案では、第１の考案であって、前記閉鎖折曲部を、前記前閉鎖部又は前記後閉鎖部のいずれか一方に形成することを特徴とする。【００１０】  第３の考案では、第１又は第２のいずれかの考案であって、前記閉鎖部は、前記前閉鎖部と前記後閉鎖部とが連なる連続部を備えることを特徴とする。【００１１】  第４の考案では、第１から第３のいずれかの考案であって、前記前閉鎖部と前記後閉鎖部とが異なる形状であることを特徴とする。【００１２】  第５の考案では、第１から第４のいずれかの考案であって、前記周壁部は、底部の周囲の前側に前折曲部を介して前壁部を、底部の周囲の後側に後折曲部を介して後壁部を、底部の周囲の左側に左折曲部を介して左壁部を、底部の周囲の右側に右折曲部を介して右壁部を有し、前記左壁部及び前記右壁部は開口側を頂部とする略三角形状であって、前記前壁部の上端に前記前閉鎖部を連設し、前記後壁部の上端に前記後閉鎖部を連設することを特徴とする。【００１３】  第６の考案では、第５の考案であって、前記前折曲部が前記前壁部側へ膨らむ形状又は／及び前記後折曲部が前記後壁部側に膨らむ形状であることを特徴とする。【００１４】  第７の考案では、第５又は第６のいずれかの考案であって、前記左折曲部が前記左壁部側へ膨らむ形状又は／及び前記右折曲部が前記右壁部側に膨らむ形状であることを特徴とする。【００１５】  本考案によれば、閉鎖折曲部を折り曲げて前閉鎖部の内面と後閉鎖部の内面とを合せるだけで簡単に開口を閉鎖することができ、閉鎖後は不用意に開放されずに閉鎖状態を保持し、開放する際は閉鎖折曲部を曲げ戻すだけで簡単に開放することができ、かつ展示効果に優れた包装容器とすることができる。
【図面の簡単な説明】
【００１６】
【図１】包装容器１１の展開体１の平面図。
【図２】包装容器１１の半完成状態を示す平面図。
【図３】（ａ）包装容器１１の開放状態を背面側から示す斜視図。（ｂ）包装容器１１の閉鎖状態を背面側から示す斜視図。
【図４】（ａ）包装容器１１の開放状態を示す側面図。（ｂ）包装容器１１の閉鎖状態を示す側面図。
【図５】包装容器１１の閉鎖状態の閉鎖部１３の要部切断端面図。
【図６】（ａ）包装容器１１の閉鎖状態を示す背面図。（ｂ）包装容器１１の閉鎖状態を示す正面図。
【図７】（ａ）包装容器１１の閉鎖状態を示す底面図。（ｂ）包装容器１１の閉鎖状態を示す平面図。
【考案を実施するための形態】
【００１７】  本考案の実施形態に係る包装容器１１について、図１から図７を用いて説明する。
【００１８】  以下に説明する本考案の包装容器１１は、食品等の様々な物品を収容する包装容器である。包装容器１１は、板紙を用いて作成されるものであるが、段ボールシートやプラスチックシートなど他の板状部材で形成することもできる。
【００１９】  包装容器１１は、図１に示す展開体１を折り曲げ、貼着加工して、図２に示す半完成状態で保管される。
使用時には、底部２１を組み立てて、図３（ａ）に示す状態を形成して、物品を収容する。図３（ｂ）は包装容器１１を閉鎖した状態を示す。
この包装容器１１は、容器本体部１２に閉鎖部１３を連設し、閉鎖部１３を操作して開口を閉鎖し又は開放するものである。
【００２０】  まず、包装容器１１の構成について、図１に従って説明する。図１は包装容器１１の展開体１を、容器内面側を紙面手前側として示している。
【００２１】  容器本体部１２を構成する部分について説明する。
容器本体部１２は、底部２１と、周壁部２６とからなる。
底部２１は、容器本体部１２の底部を構成する部分であり、使用時には、前底部２２、後底部２３、左底部２４、右底部２５を組み合わせて形成するものである。
周壁部２６は、容器本体部１２の周壁部を構成する部分であり、前底部２２から前折曲部２２ａを介して前壁部２７を、後底部２３から後折曲部２３ａを介して後壁部２８を、左底部２４から左折曲部２４ａを介して左壁部２９を、右底部２５から右折曲部２５ａを介して右壁部３０を設けてなる。前折曲部２２ａは前壁部２７側へ、後折曲部２３ａは後壁部２８側へ、左折曲部２４ａは左壁部２９側へ、右折曲部２５ａは右壁部３０側へ膨らむ湾曲形状である。
左壁部２９は、中心部で二分割する折曲部を設けている。
展開体１の右端側の右壁部３０は折曲部を介して貼着片を有し、後述する半完成状態において展開体１の左端側の右壁部３０と連結される。
【００２２】  次に、閉鎖部１３を構成する部分について説明する。
閉鎖部１３は、前閉鎖部３１及び後閉鎖部３２、及び左連続部３３、右連続部３４からなり、前壁部２７の上端に前閉鎖部３１を、後壁部２８の上端に後閉鎖部３２を連設している。前閉鎖部３１の周縁と後閉鎖部３２の周縁は、異なる大きさの波形で形成している。
また、後閉鎖部３２には、押罫によって閉鎖折曲部３２ａを設けている。閉鎖折曲部３２ａは、後閉鎖部３２の左端から右端に渡り形成される、上側に膨らむ湾曲形状である。
また、前閉鎖部３１と後閉鎖部３２との間には、左壁部２９に設けた折曲部上側に左連続部３３を設けている。後閉鎖部３２の右端側には折曲部を介して貼着片を有し、後述する半完成状態において貼着片が前閉鎖部３１と固着され、前閉鎖部３１と後閉鎖部３２とが連続する右連続部３４を形成する。
【００２３】  次に、包装容器１１の組み立てについて説明する。組み立てが完成した状態の包装容器  １１については、前壁部２７側を正面（前側）として説明する。
【００２４】  まず、展開体１を折り曲げ貼着加工をして半完成状態とする。
具体的には、左壁部２９に形成した折曲部を折り曲げて、左壁部２９の内面、前壁部２７の内面と後壁部２８の内面、右壁部３０の内面を各々重ね合せるとともに、貼着片を右壁部３０の内面側に折り畳み、前閉鎖部３１の内面、前壁部２７の内面、右底部２５の内面へ貼着すれば、図２に示す平坦でコンパクトな半完成状態となる。
包装容器１１はこの状態で保管される。
【００２５】  包装容器１１を使用する際には、前壁部２７と後壁部２８とを離反させるようにして筒状とし、前底部２２、後底部２３、左底部２４、右底部２５を前折曲部２２ａ、後折曲部２３ａ、左折曲部２４ａ、右折曲部２５ａに沿って容器内側に折り曲げ、各々を係合して底部２１を形成すれば、図３（ａ）に示す組み立て完成状態となり、開口から物品を収容することができる。
【００２６】  包装容器１１を閉鎖する際は、後閉鎖部３２に形成した閉鎖折曲部３２ａ付近を指で軽く押さえれば、紙がしなるとともに閉鎖折曲部３２ａに沿って折れ曲がり、閉鎖折曲部３２ａから上側の後閉鎖部３２の内面が前閉鎖部３１の内面と合わさって、図３（ｂ）に示すような閉鎖状態となる。
包装容器１１を開放するには、閉鎖折曲部３２ａを曲げ戻せば、前閉鎖部３１の内面と後閉鎖部３２の内面とが離反して簡単に開放される。
【００２７】  図４（ａ）は、包装容器１１の開放状態の側面図である。
閉鎖状態の包装容器１１の側面視は、図４（ｂ）に示すように、後閉鎖部３２が前閉鎖部３１に近づき、閉鎖折曲部３２ａから上側が後壁部２８に対して前傾して、閉鎖折曲部３２ａで折れ曲がる略「くの字」形状となる。
また、左連続部３３及び右連続部３４によって前閉鎖部３１は後閉鎖部３２と連続しているため、後閉鎖部３２の前傾に連動して前閉鎖部３１も後壁部２８に対して前傾し、閉鎖部１３全体が後壁部２８に対して前傾する。図５は、閉鎖状態の閉鎖部１３の要部切断端面図である。
また、右壁部３０は、右折曲部２５ａが右底部２５から右壁部３０側に膨らむ形状であるため、底辺が上方に湾曲し、かつ容器外側へ膨らんだ形状の略三角形状となる。左壁部２９も右壁部３０と同様に、左折曲部２４ａが左底部２４から左壁部２９側に膨らむ形状であるため、底辺が上方に湾曲し、かつ容器外側へ膨らんだ形状の略三角形状となる（図示省略）。
【００２８】  閉鎖状態の包装容器１１の背面視は、図６（ａ）に示すように、閉鎖折曲部３２ａによって後閉鎖部３２が湾曲形状に折れ曲がって前傾しており、前閉鎖部３１と後閉鎖部３２とでは周縁の形状が異なるため、前閉鎖部３１の内面が一部露出している。
後壁部２８は、後折曲部２３ａが後底部２３から後壁部２８側に膨らむ形状であるため、底辺が上方に湾曲し、かつ容器外側へ膨らんだ形状の略台形状となる。
【００２９】  閉鎖状態の包装容器１１の正面視は、図６（ｂ）に示すように、前閉鎖部３１は閉鎖折曲部を有していない。
前壁部２７は、後壁部２８と同様に、前折曲部２２ａが前底部２２から前壁部２７側に膨らむ形状であるため、底辺が上方に湾曲し、かつ容器外側へ膨らんだ形状の略台形状となる。
【００３０】  閉鎖状態の包装容器１１の底面視は、図７（ａ）に示すように、前折曲部２２ａが前底部２２から前壁部２７側に膨らむ形状、後折曲部２３ａが後底部２３から後壁部２８側に膨らむ形状、左折曲部２４ａが左底部２４から左壁部２９側に膨らむ形状、右折曲部２５ａが右底部２５から右壁部３０側に膨らむ形状であるため、各辺が容器外側に膨らむ略四角形状であり、底部２１は中央部がやや凹んだ形状となる。
【００３１】  閉鎖部１３を閉鎖した状態の包装容器１１の平面視は、図７（ｂ）に示すように、閉鎖部１３は閉鎖折曲部３２ａの折り曲げによって後壁部２８側に前傾するとともに、前壁部２７側にやや膨らんだ湾曲形状となる。
【００３２】  上記のように、本考案の包装容器１１は、底部２１の周囲に周壁部２６を有し、上方が開口する容器本体部１２と、周壁部２６の前側の上端に連設する前閉鎖部３１と、周壁部２６の後側の上端に連設する後閉鎖部３２からなる閉鎖部１３と、を備える包装容器１１の閉鎖部１３に、上方へ膨らむ形状の閉鎖折曲部３２ａを形成し、閉鎖折曲部３２ａを折り曲げ、前閉鎖部３１の内面と後閉鎖部３２の内面とを合せて、開口を閉鎖するものである。
このため、閉鎖折曲部３２ａを折り曲げ、前閉鎖部３１の内面と後閉鎖部３２の内面とを合せるだけで簡単に開口を閉鎖することができる。
このとき、閉鎖部１３は、上方へ膨らむ形状である閉鎖折曲部３２ａに沿って平面視湾曲した形状となる。そして、後閉鎖部３２は側面視では図４、図５に示すように、閉鎖折曲部３２ａから上側が後壁部２９に対して前傾した状態で、閉鎖折曲部３２ａで折れ曲がる略「くの字」形状となる。このため、閉鎖を確実に保持することができるとともに、斬新で展示効果に優れた形状の包装容器とすることができる。
開放する際には、閉鎖折曲部３２ａを曲げ戻して前閉鎖部３１の内面と後閉鎖部３２の内面とを離反させればよく、簡単に開放することができる。
【００３３】  また、本考案の包装容器１１においては、閉鎖折曲部３２ａを後閉鎖部３２のみに形成するものである。このため、閉鎖状態において、前閉鎖部３１に閉鎖折曲部を設けていない前壁部２７側と、閉鎖折曲部３２ａを折り曲げ、後閉鎖部３２を後壁部２８に対して前傾させた後壁部２８側とでは異なる形状となり（図３、図６参照）、斬新で展示効果に優れた包装容器とすることができる。
【００３４】  また、本考案の包装容器１１において、閉鎖部１３は、前閉鎖部３１と後閉鎖部３２とが連なる左連続部３３、右連続部３４を備えるものである。
このため、閉鎖状態において、後閉鎖部３２の前傾に連動して前閉鎖部３１も後壁部２８に対して前傾し、閉鎖状態での隙間を軽減して、密封性を高めることができる。
【００３５】  また、本考案の包装容器１１において、前閉鎖部３１と後閉鎖部３２とが異なる形状である。
このため、包装容器の形状そのものとしても目新しく、更には、背面視において前閉鎖部３１の内面が一部露出しているので、例えば表面と内面に異なった柄の印刷を施せば、内面の柄が露出して斬新な意匠として展示効果を有する。
【００３６】  また、本考案の包装容器１１において、周壁部２６は、底部２１の周囲の前側に前折曲部２２ａを介して前壁部２７を、底部２１の周囲の後側に後折曲部２３ａを介して後壁部２８を、底部２１の周囲の左側に左折曲部２４ａを介して左壁部２９を、底部２１の周囲の右側に右折曲部２５ａを介して右壁部３０を有し、左壁部２９及び右壁部３０は、開口側を頂部とする略三角形状であって、前壁部２７の上端に前閉鎖部３１を連設し、後壁部２８の上端に後閉鎖部３２を連設するものである。
このため、前閉鎖部３１の内面と後閉鎖部３２の内面は互いに近づきやすく、閉鎖作業が簡単である。
【００３７】  また、本考案の包装容器１１において、前折曲部２２ａは前壁部２７側へ膨らむ形状であり、また、後折曲部２３ａは後壁部２８側に膨らむ形状である。
このため、前壁部２７、後壁部２８は折曲部２２ａ、折曲部２３ａの膨らみに沿って容器外側に膨らんだ形状となり、閉鎖折曲部３２ａを折り曲げて前閉鎖部３１の内面に後閉鎖部３２の内面を合せると、紙のしなりが強くなり、より確実に閉鎖状態を保持することができる。さらに、包装容器の形状としても斬新であり展示効果に優れる。
【００３８】  また、本考案の包装容器１１において、左折曲部２４ａは左壁部２９側へ膨らむ形状であり、また右折曲部２５ａは右壁部３０側に膨らむ形状である
このため、左壁部２９、右壁部３０は折曲部２４ａ、折曲部２５ａの膨らみに沿って容器外側に膨らんだ形状となる。そのため、閉鎖折曲部３２ａを折り曲げて前閉鎖部３１の内面に後閉鎖部３２の内面を合せると、左右側に相反して引っ張られる力が働き、より確実に閉鎖状態を保持することができる。さらに、包装容器の形態としても斬新であり展示効果に優れる。
【００３９】  以上、本考案の実施形態である包装容器１１について説明したが、本考案の技術的範囲は、この実施形態に限定されるものではない。
【００４０】  例えば、本実施形態の包装容器１１では、後閉鎖部３２のみに閉鎖折曲部３２ａを設けているが、前閉鎖部３１のみに閉鎖折曲部を設けてもよく、或いは前閉鎖部３１と後閉鎖部３２の両方に設けても本考案の効果を得ることができる。
【００４１】  また、本実施形態の包装容器１１では、前壁部２７と左壁部２９、及び前壁部２７と右壁部３０との間に折曲部を設けていないが、これを設けてもよく、同様に、後壁部２８と左壁部２９、及び後壁部２８と右壁部３０との間に折曲部を設けても本考案の効果を得ることができる。
【００４２】  また、本実施形態の包装容器１１は、左連続部３３及び右連続部３４を設けているが、これを設けなくともよい。
【００４３】  また、本実施形態の包装容器１１は、前閉鎖部の形状と後閉鎖部の形状が異なるが、同形状であってもよい。
【００４４】  また、本実施形態の包装容器１１の閉鎖折曲部３２ａは押罫で形成しているが、ミシン線で形成する等、折曲部の形成方法は限定されない。また、容器の上側に膨らむ形状とは、湾曲形状、略「への字」形状や、略台形等、本考案の技術的思想の範囲における容器の上側に膨らむ形状が含まれる。
【００４５】  また、本実施形態の包装容器１１は、前折曲部２２ａが前壁部２７側へ、後折曲部２３ａが後壁部２８側へ、左折曲部２４ａが左壁部２９側へ、右折曲部２５ａが右壁部３０側へ膨らむ湾曲形状であるが、直線形状であっても本考案の効果を得ることができる。
【符号の説明】
【００４６】１      展開体
１１    包装容器
１２    容器本体部
１３    閉鎖部
２１    底部
２２    前底部
２３    後底部
２４    左底部
２５    右底部
２２ａ  前折曲部
２３ａ  後折曲部
２４ａ  左折曲部
２５ａ  右折曲部
２６    周壁部
２７    前壁部
２８    後壁部
２９    左壁部
３０    右壁部
３１    前閉鎖部
３２    後閉鎖部
３２ａ  閉鎖折曲部
３３    左連続部
３４    右連続部
【図１】
0003221041.tif 000003
【図２】
0003221041.tif 000004
【図３】
0003221041.tif 000005
【図４】
0003221041.tif 000006
【図５】
0003221041.tif 000007
【図６】
0003221041.tif 000008
【図７】
0003221041.tif 000009
【手続補正書】
【提出日】平成31年2月7日(2019.2.7)
【手続補正１】
【補正対象書類名】実用新案登録請求の範囲
【補正対象項目名】全文
【補正方法】変更
【補正の内容】
【実用新案登録請求の範囲】
【請求項１】
底部の周囲に周壁部を有し、上方が開口する容器本体部と、前記周壁部の前側の上端に連設する前閉鎖部と、前記周壁部の後側の上端に連設する後閉鎖部からなる閉鎖部と、を備える包装容器の前記閉鎖部に、上方へ膨らむ形状の閉鎖折曲部を形成し、前記閉鎖折曲部を折り曲げ、前記前閉鎖部の内面と前記後閉鎖部の内面とを合せて、開口を閉鎖することを特徴とする包装容器。
【請求項２】
前記閉鎖折曲部を、前記前閉鎖部又は前記後閉鎖部のいずれか一方に形成することを特徴とする、請求項１に記載する包装容器。
【請求項３】
前記閉鎖部は、前記前閉鎖部と前記後閉鎖部とが連なる連続部を備えることを特徴とする、請求項１又は請求項２に記載する包装容器。
【請求項４】
前記前閉鎖部と前記後閉鎖部とが異なる形状であることを特徴とする、請求項１から請求項３のいずれか１項に記載の包装容器。
【請求項５】
前記周壁部は、底部の周囲の前側に前折曲部を介して前壁部を、底部の周囲の後側に後折曲部を介して後壁部を、底部の周囲の左側に左折曲部を介して左壁部を、底部の周囲の右側に右折曲部を介して右壁部を有し、前記左壁部及び前記右壁部は開口側を頂部とする略三角形状であって、前記前壁部の上端に前記前閉鎖部を連設し、前記後壁部の上端に前記後閉鎖部を連設することを特徴とする、請求項１から請求項４のいずれか１項に記載の包装容器。
【請求項６】
前記前折曲部が前記前壁部側へ膨らむ形状又は／及び前記後折曲部が前記後壁部側に膨らむ形状であることを特徴とする、請求項５に記載する包装容器。
【請求項７】
前記左折曲部が前記左壁部側へ膨らむ形状又は／及び前記右折曲部が前記右壁部側に膨らむ形状であることを特徴とする、請求項５又は請求項６に記載する包装容器。